(57)【要約】【課題】最適な判定処理を行うことにより、ユーザに対して、違和感を与えることなく、適切なコンテンツを提供する。【解決手段】ユーザ端末が、アクティブタグの通信エリア内に入ったときに、アクティブタグからアクティブタグのＩＤとともに通知を受ける。次に、アクティブタグから通知とともに、そのアクティブタグのＩＤを受信したときに、少なくともアクティブタグの状態により表示するコンテンツの判定処理を行い、判定処理完了後に、コンテンツサーバにアクセスを行い、判定処理に基づいた適切なコンテンツを取得して、その取得したコンテンツを再生する。【選択図】図６
2011135129.tif 000002
【特許請求の範囲】
【請求項１】
アクティブタグとユーザ端末とコンテンツサーバとからなる情報配信システムであって、
前記ユーザ端末が、前記アクティブタグの通信エリア内に入ったときに、前記アクティブタグからアクティブタグのＩＤとともに通知を受ける受信手段と、
前記アクティブタグから通知とともに、該アクティブタグのＩＤを受信したときに、少なくとも前記アクティブタグの状態により表示するコンテンツの判定処理を行う判定処理手段と、
前記判定処理完了後に、前記コンテンツサーバにアクセスを行い、前記判定処理に基づいた適切なコンテンツを取得するコンテンツ取得手段と、
該取得したコンテンツを再生するコンテンツ再生手段と、
を備えたことを特徴とする情報配信システム。
【請求項２】
現在表示中のコンテンツのＩＤを記憶する記憶手段を備え、
前記判定処理手段が同一のコンテンツを連続表示しないように、判定処理を行うことを特徴とする請求項１に記載の情報配信システム。
【請求項３】
ユーザがコンテンツの詳細を参照しているか否かを検出する検出手段を備え、
前記検出手段は、ユーザがコンテンツの詳細を参照していることを検出したときに、前記受信手段が、別のアクティブタグのＩＤとともに通知を受信しても、前記判定処理手段がコンテンツの表示切替を禁止するように、判定処理を行うことを特徴とする請求項２に記載の情報配信システム。
【請求項４】
前記受信手段が、複数のアクティブタグのＩＤとともに通知を受信しても、前記判定処理手段がコンテンツの表示切替を禁止し、連続して受信できるアクティブタグのＩＤが１つになった時点で、コンテンツの表示切替をするように、判定処理を行うことを特徴とする請求項１に記載の情報配信システム。
【請求項５】
アクティブタグとユーザ端末とコンテンツサーバとからなる情報配信システムであって、
前記ユーザ端末が、前記アクティブタグの通信エリア内に入ったときに、前記アクティブタグからアクティブタグのＩＤとともに通知を受ける受信手段と、
前記受信手段が、前記アクティブタグからの通知を受けたときに、ユーザにその旨を報知する報知手段と、
前記ユーザがコンテンツの取得要求を行うコンテンツ取得要求手段と、
前記コンテンツの取得要求を受けたときに、少なくとも前記アクティブタグの状態により表示するコンテンツの判定処理を行う判定処理手段と、
前記判定処理完了後に、前記コンテンツサーバにアクセスを行い、前記判定処理に基づいた適切なコンテンツを取得するコンテンツ取得手段と、
該取得したコンテンツを再生するコンテンツ再生手段と、
を備えたことを特徴とする情報配信システム。
【請求項６】
前記受信手段が、複数のアクティブタグのＩＤとともに通知を受信したときに、ユーザの指示により、コンテンツの表示切替を行う表示切替手段を備えたことを特徴とする請求項５に記載の情報配信システム。
【請求項７】
アクティブタグとユーザ端末とコンテンツサーバとからなる情報配信システムにおける情報配信方法であって、
前記ユーザ端末が、前記アクティブタグの通信エリア内に入ったときに、前記アクティブタグからアクティブタグのＩＤとともに通知を受ける第１のステップと、
前記アクティブタグから通知とともに、該アクティブタグのＩＤを受信したときに、少なくとも前記アクティブタグの状態により表示するコンテンツの判定処理を行う第２のステップと、
前記判定処理完了後に、前記コンテンツサーバにアクセスを行い、前記判定処理に基づいた適切なコンテンツを取得する第３のステップと、
該取得したコンテンツを再生する第４のステップと、
を備えたことを特徴とする情報配信方法。
【請求項８】
アクティブタグとユーザ端末とコンテンツサーバとからなる情報配信システムにおける情報配信方法であって、
前記ユーザ端末が、前記アクティブタグの通信エリア内に入ったときに、前記アクティブタグからアクティブタグのＩＤとともに通知を受ける第１のステップと、
前記アクティブタグからの通知を受けたときに、ユーザにその旨を報知する第２のステップと、
前記ユーザがコンテンツの取得要求を行う第３のステップと、
前記コンテンツの取得要求を受けたときに、少なくとも前記アクティブタグの状態により表示するコンテンツの判定処理を行う第４のステップと、
前記判定処理完了後に、前記コンテンツサーバにアクセスを行い、前記判定処理に基づいた適切なコンテンツを取得する第５のステップと、
該取得したコンテンツを再生する第６のステップと、
を備えたことを特徴とする情報配信方法。
【請求項９】
アクティブタグとユーザ端末とコンテンツサーバとからなる情報配信システムにおける情報配信方法をコンピュータに実行させるためのプログラムであって、
前記ユーザ端末が、前記アクティブタグの通信エリア内に入ったときに、前記アクティブタグからアクティブタグのＩＤとともに通知を受ける第１のステップと、
前記アクティブタグから通知とともに、該アクティブタグのＩＤを受信したときに、少なくとも前記アクティブタグの状態により表示するコンテンツの判定処理を行う第２のステップと、
前記判定処理完了後に、前記コンテンツサーバにアクセスを行い、前記判定処理に基づいた適切なコンテンツを取得する第３のステップと、
該取得したコンテンツを再生する第４のステップと、
をコンピュータに実行させるためのプログラム。
【請求項１０】
アクティブタグとユーザ端末とコンテンツサーバとからなる情報配信システムにおける情報配信方法をコンピュータに実行させるためのプログラムであって、
前記ユーザ端末が、前記アクティブタグの通信エリア内に入ったときに、前記アクティブタグからアクティブタグのＩＤとともに通知を受ける第１のステップと、
前記アクティブタグからの通知を受けたときに、ユーザにその旨を報知する第２のステップと、
前記ユーザがコンテンツの取得要求を行う第３のステップと、
前記コンテンツの取得要求を受けたときに、少なくとも前記アクティブタグの状態により表示するコンテンツの判定処理を行う第４のステップと、
前記判定処理完了後に、前記コンテンツサーバにアクセスを行い、前記判定処理に基づいた適切なコンテンツを取得する第５のステップと、
該取得したコンテンツを再生する第６のステップと、
をコンピュータに実行させるためのプログラム。
【発明の詳細な説明】
【技術分野】
【０００１】
本発明は、ユーザの端末にコンテンツを配信する情報配信システム、情報配信方法およびプログラムであって、特に、タグを検出して最適なコンテンツを配信する情報配信システム、情報配信方法およびプログラムに関する。
【背景技術】
【０００２】
ユビキタス社会が実現されはじめ、その場所に関する情報を通知して、道案内、店舗案内、史跡紹介などを行ったり、さらには駅などの公共施設において身障者への音声誘導を行なったりすることが近年提案されている。このために、人工衛星を用いて信号などの危険ポイントの情報を視覚障害者へ音声で知らせるようなガイドシステムが近年、提案されている（例えば、特許文献１参照。）。
【０００３】
また、無線タグを用いて例えば無線タグから一定距離に入るとその場所に関する情報を使用者に通知する電子式案内システムにおいて、電界強度を検知して、その電界強度の値に応じて、ガイダンスの開始時期を制御する技術も提案されている（例えば、特許文献２参照。）。
【先行技術文献】
【特許文献】
【０００４】
【特許文献１】特開２００２−２７７２７６号公報
【特許文献２】特開２００８−１３９１８１号公報
【発明の概要】
【発明が解決しようとする課題】
【０００５】
しかしながら、無線タグを用いた電子式案内システムにおいては、検出したタグＩＤをそのまま表示する場合、同一ＩＤを連続して検出すると、何度も同じＩＤのコンテンツが表示されるといった問題やＩＤエリア境界が重なる場所で、Ａ、Ｂ、Ａ、Ｂの順でＩＤ検出すると、表示されるコンテンツがパタパタと切替るといった問題、複数ＩＤを検出した場合はユーザに参照したいＩＤを選択してもらう必要があり、ユーザの操作回数が増えるといった問題、タグ電波到達範囲を調整する必要があるといった問題がある。
【０００６】
一方、検出したタグから受信強度を取得し、受信信号強度（ＲＳＳＩ）の大小によってユーザからのタグの遠近を決定し、表示するＩＤを決める場合には、受信信号強度（ＲＳＳＩ）の取得のために、移動機と無線タグが接続確立する必要がある。また、同一エリアにユーザ（移動機）が複数存在するときには、移動機Ａが無線タグの受信信号強度（ＲＳＳＩ）を取得中には、移動機Ｂではタグの存在を検出できなくなる。さらに、無線タグ検索時間＋受信信号強度（ＲＳＳＩ）取得時間が必要となり、１サイクルの時間が長くなり、ユーザの移動速度が速いと検出できないＩＤが存在することもあるといった問題があった。
【０００７】
そこで、本発明は、上記の課題に鑑みてなされたものであり、最適な判定処理を行うことにより、ユーザに対して、違和感を与えることなく、適切なコンテンツを提供する情報配信システム、情報配信方法およびプログラムを提供することを目的とする。
【課題を解決するための手段】
【０００８】
本発明は、上述の課題を解決するために、以下の事項を提案している。なお、理解を容易にするために、本発明の実施形態に対応する符号を付して説明するが、これに限定されるものではない。
【０００９】
（１）本発明は、アクティブタグ（例えば、図１のアクティブタグ１００に相当）とユーザ端末（例えば、図１のユーザ端末２００に相当）とコンテンツサーバ（例えば、図１のコンテンツサーバ３００に相当）とからなる情報配信システムであって、前記ユーザ端末が、前記アクティブタグの通信エリア内に入ったときに、前記アクティブタグからアクティブタグのＩＤとともに通知を受ける受信手段（例えば、図４のタグ情報受信部２１０に相当）と、前記アクティブタグから通知とともに、該アクティブタグのＩＤを受信したときに、少なくとも前記アクティブタグの状態により表示するコンテンツの判定処理を行う判定処理手段（例えば、図４の判定処理部２２０に相当）と、前記判定処理完了後に、前記コンテンツサーバにアクセスを行い、前記判定処理に基づいた適切なコンテンツを取得するコンテンツ取得手段（例えば、図４のコンテンツ取得部２４０に相当）と、該取得したコンテンツを再生するコンテンツ再生手段（例えば、図４のコンテンツ再生部２５０に相当）と、を備えたことを特徴とする情報配信システムを提案している。  
【００１０】
この発明によれば、ユーザ端末の受信手段は、アクティブタグの通信エリア内に入ったときに、アクティブタグからアクティブタグのＩＤとともに通知を受ける。判定処理手段は、アクティブタグから通知とともに、そのアクティブタグのＩＤを受信したときに、少なくともアクティブタグの状態により表示するコンテンツの判定処理を行う。コンテンツ取得手段は、判定処理完了後に、コンテンツサーバにアクセスを行い、判定処理に基づいた適切なコンテンツを取得する。コンテンツ再生手段は、その取得したコンテンツを再生する。したがって、自動的に、最適な判定処理を行うことにより、ユーザに対して、違和感を与えることなく、適切なコンテンツを提供できる。
【００１１】
（２）本発明は、（１）の情報配信システムについて、現在表示中のコンテンツのＩＤを記憶する記憶手段（例えば、図４の表示中コンテンツＩＤ格納部２２２に相当）を備え、前記判定処理手段が同一のコンテンツを連続表示しないように、判定処理を行うことを特徴とする情報配信システムを提案している。
【００１２】
この発明によれば、記憶手段は、現在表示中のコンテンツのＩＤを記憶し、判定処理手段が同一のコンテンツを連続表示しないように、判定処理を行う。したがって、同一のアクティブタグのＩＤを受信しても同一のコンテンツが連続表示されることがない。
【００１３】
（３）本発明は、（２）の情報配信システムについて、ユーザがコンテンツの詳細を参照しているか否かを検出する検出手段（例えば、図４のコンテンツ視聴状態検出部２２３に相当）を備え、前記検出手段は、ユーザがコンテンツの詳細を参照していることを検出したときに、前記受信手段が、別のアクティブタグのＩＤとともに通知を受信しても、前記判定処理手段がコンテンツの表示切替を禁止するように、判定処理を行うことを特徴とする情報配信システムを提案している。
【００１４】
この発明によれば、検出手段は、ユーザがコンテンツの詳細を参照しているか否かを検出し、ユーザがコンテンツの詳細を参照していることを検出したときに、受信手段が、別のアクティブタグのＩＤとともに通知を受信しても、判定処理手段がコンテンツの表示切替を禁止するように判定処理を行う。したがって、ユーザの画面参照状況を判定し画面更新するため、画面を見ていないときだけに画面更新し、画面を見ている間は画面更新を行わないようにすることができる。
【００１５】
（４）本発明は、（１）の情報配信システムについて、前記受信手段が、複数のアクティブタグのＩＤとともに通知を受信しても、前記判定処理手段がコンテンツの表示切替を禁止し、連続して受信できるアクティブタグのＩＤが１つになった時点で、コンテンツの表示切替をするように、判定処理を行うことを特徴とする情報配信システムを提案している。
【００１６】
この発明によれば、受信手段が、複数のアクティブタグのＩＤとともに通知を受信しても、判定処理手段がコンテンツの表示切替を禁止し、連続して受信できるアクティブタグのＩＤが１つになった時点で、コンテンツの表示切替をするように、判定処理を行う。したがって、頻繁にコンテンツの表示が切り替わる煩わしさを防止することができる。
【００１７】
（５）本発明は、アクティブタグ（例えば、図１のアクティブタグ１００に相当）とユーザ端末（例えば、図１のユーザ端末２００に相当）とコンテンツサーバ（例えば、図１のコンテンツサーバ３００に相当）とからなる情報配信システムであって、前記ユーザ端末が、前記アクティブタグの通信エリア内に入ったときに、前記アクティブタグからアクティブタグのＩＤとともに通知を受ける受信手段（例えば、図９のタグ情報受信部２１０に相当）と、前記受信手段が、前記アクティブタグからの通知を受けたときに、ユーザにその旨を報知する報知手段（例えば、図９の通知部２１１に相当）と、前記ユーザがコンテンツの取得要求を行うコンテンツ取得要求手段（例えば、図９のアクセス要求部２１２に相当）と、前記コンテンツの取得要求を受けたときに、少なくとも前記アクティブタグの状態により表示するコンテンツの判定処理を行う判定処理手段（例えば、図９の判定処理部２２０に相当）と、前記判定処理完了後に、前記コンテンツサーバにアクセスを行い、前記判定処理に基づいた適切なコンテンツを取得するコンテンツ取得手段（例えば、図９のコンテンツ取得部２４０に相当）と、該取得したコンテンツを再生するコンテンツ再生手段（例えば、図９のコンテンツ再生部２５０に相当）と、を備えたことを特徴とする情報配信システムを提案している。
【００１８】
この発明によれば、ユーザ端末の受信手段は、アクティブタグの通信エリア内に入ったときに、アクティブタグからアクティブタグのＩＤとともに通知を受ける。報知手段は、受信手段が、アクティブタグからの通知を受けたときに、ユーザにその旨を報知する。コンテンツ取得要求手段は、ユーザの指示により、コンテンツの取得要求を行う。判定処理手段は、コンテンツの取得要求を受けたときに、少なくともアクティブタグの状態により表示するコンテンツの判定処理を行う。コンテンツ取得手段は、判定処理完了後に、コンテンツサーバにアクセスを行い、判定処理に基づいた適切なコンテンツを取得する。コンテンツ再生手段は、その取得したコンテンツを再生する。したがって、ユーザが、コンテンツの表示を希望する場合に、最適な判定処理を行うことにより、ユーザに対して、違和感を与えることなく、適切なコンテンツを提供できる。
【００１９】
（６）本発明は、（５）の情報配信システムについて、前記受信手段が、複数のアクティブタグのＩＤとともに通知を受信したときに、ユーザの指示により、コンテンツの表示切替を行う表示切替手段を備えたことを特徴とする情報配信システムを提案している。  
【００２０】
この発明によれば、表示切替手段は、受信手段が、複数のアクティブタグのＩＤとともに通知を受信したときに、ユーザの指示により、コンテンツの表示切替を行う。したがって、複数のアクティブタグのＩＤとともに通知を受信したときには、ユーザの要望に応じて、コンテンツの表示切替を行うことができる。
【００２１】
（７）本発明は、アクティブタグとユーザ端末とコンテンツサーバとからなる情報配信システムにおける情報配信方法であって、前記ユーザ端末が、前記アクティブタグの通信エリア内に入ったときに、前記アクティブタグからアクティブタグのＩＤとともに通知を受ける第１のステップ（例えば、図６のステップＳ１０１に相当）と、前記アクティブタグから通知とともに、該アクティブタグのＩＤを受信したときに、少なくとも前記アクティブタグの状態により表示するコンテンツの判定処理を行う第２のステップ（例えば、図６のステップＳ１０２に相当）と、前記判定処理完了後に、前記コンテンツサーバにアクセスを行い、前記判定処理に基づいた適切なコンテンツを取得する第３のステップ（例えば、図６のステップＳ１０３に相当）と、該取得したコンテンツを再生する第４のステップ（例えば、図６のステップＳ１０４に相当）と、を備えたことを特徴とする情報配信方法を提案している。
【００２２】
この発明によれば、ユーザ端末が、アクティブタグの通信エリア内に入ったときに、アクティブタグからアクティブタグのＩＤとともに通知を受ける。次に、アクティブタグから通知とともに、そのアクティブタグのＩＤを受信したときに、少なくともアクティブタグの状態により表示するコンテンツの判定処理を行い、判定処理完了後に、コンテンツサーバにアクセスを行い、判定処理に基づいた適切なコンテンツを取得して、その取得したコンテンツを再生する。したがって、自動的に、最適な判定処理を行うことにより、ユーザに対して、違和感を与えることなく、適切なコンテンツを提供できる。
【００２３】
（８）本発明は、アクティブタグとユーザ端末とコンテンツサーバとからなる情報配信システムにおける情報配信方法であって、前記ユーザ端末が、前記アクティブタグの通信エリア内に入ったときに、前記アクティブタグからアクティブタグのＩＤとともに通知を受ける第１のステップ（例えば、図１０のステップＳ２０１に相当）と、前記アクティブタグからの通知を受けたときに、ユーザにその旨を報知する第２のステップ（例えば、図１０のステップＳ２０２に相当）と、前記ユーザがコンテンツの取得要求を行う第３のステップ（例えば、図１０のステップＳ２０３に相当）と、前記コンテンツの取得要求を受けたときに、少なくとも前記アクティブタグの状態により表示するコンテンツの判定処理を行う第４のステップ（例えば、図１０のステップＳ２０４に相当）と、前記判定処理完了後に、前記コンテンツサーバにアクセスを行い、前記判定処理に基づいた適切なコンテンツを取得する第５のステップ（例えば、図１０のステップＳ２０５に相当）と、該取得したコンテンツを再生する第６のステップ（例えば、図１０のステップＳ２０６に相当）と、を備えたことを特徴とする情報配信方法を提案している。
【００２４】
この発明によれば、ユーザ端末が、アクティブタグの通信エリア内に入ったときに、アクティブタグからアクティブタグのＩＤとともに通知を受ける。次に、アクティブタグからの通知を受けたときに、ユーザにその旨を報知する。ユーザは、コンテンツの取得要求を行い、ユーザの指示により、コンテンツの取得要求を受けたときに、少なくともアクティブタグの状態により表示するコンテンツの判定処理を行う。そして、判定処理完了後に、コンテンツサーバにアクセスを行い、判定処理に基づいた適切なコンテンツを取得して、その取得したコンテンツを再生する。したがって、ユーザが、コンテンツの表示を希望する場合に、最適な判定処理を行うことにより、ユーザに対して、違和感を与えることなく、適切なコンテンツを提供できる。
【００２５】
（９）本発明は、アクティブタグとユーザ端末とコンテンツサーバとからなる情報配信システムにおける情報配信方法をコンピュータに実行させるためのプログラムであって、前記ユーザ端末が、前記アクティブタグの通信エリア内に入ったときに、前記アクティブタグからアクティブタグのＩＤとともに通知を受ける第１のステップ（例えば、図６のステップＳ１０１に相当）と、前記アクティブタグから通知とともに、該アクティブタグのＩＤを受信したときに、少なくとも前記アクティブタグの状態により表示するコンテンツの判定処理を行う第２のステップ（例えば、図６のステップＳ１０２に相当）と、前記判定処理完了後に、前記コンテンツサーバにアクセスを行い、前記判定処理に基づいた適切なコンテンツを取得する第３のステップ（例えば、図６のステップＳ１０３に相当）と、該取得したコンテンツを再生する第４のステップ（例えば、図６のステップＳ１０４に相当）と、をコンピュータに実行させるためのプログラムを提案している。
【００２６】
この発明によれば、ユーザ端末が、アクティブタグの通信エリア内に入ったときに、アクティブタグからアクティブタグのＩＤとともに通知を受ける。次に、アクティブタグから通知とともに、そのアクティブタグのＩＤを受信したときに、少なくともアクティブタグの状態により表示するコンテンツの判定処理を行い、判定処理完了後に、コンテンツサーバにアクセスを行い、判定処理に基づいた適切なコンテンツを取得して、その取得したコンテンツを再生する。したがって、自動的に、最適な判定処理を行うことにより、ユーザに対して、違和感を与えることなく、適切なコンテンツを提供できる。
【００２７】
（１０）本発明は、アクティブタグとユーザ端末とコンテンツサーバとからなる情報配信システムにおける情報配信方法をコンピュータに実行させるためのプログラムであって、前記ユーザ端末が、前記アクティブタグの通信エリア内に入ったときに、前記アクティブタグからアクティブタグのＩＤとともに通知を受ける第１のステップ（例えば、図１０のステップＳ２０１に相当）と、前記アクティブタグからの通知を受けたときに、ユーザにその旨を報知する第２のステップ（例えば、図１０のステップＳ２０２に相当）と、前記ユーザがコンテンツの取得要求を行う第３のステップ（例えば、図１０のステップＳ２０３に相当）と、前記コンテンツの取得要求を受けたときに、少なくとも前記アクティブタグの状態により表示するコンテンツの判定処理を行う第４のステップ（例えば、図１０のステップＳ２０４に相当）と、前記判定処理完了後に、前記コンテンツサーバにアクセスを行い、前記判定処理に基づいた適切なコンテンツを取得する第５のステップ（例えば、図１０のステップＳ２０５に相当）と、該取得したコンテンツを再生する第６のステップ（例えば、図１０のステップＳ２０６に相当）と、をコンピュータに実行させるためのプログラムを提案している。
【００２８】
この発明によれば、ユーザ端末が、アクティブタグの通信エリア内に入ったときに、アクティブタグからアクティブタグのＩＤとともに通知を受ける。次に、アクティブタグからの通知を受けたときに、ユーザにその旨を報知する。ユーザは、コンテンツの取得要求を行い、ユーザの指示により、コンテンツの取得要求を受けたときに、少なくともアクティブタグの状態により表示するコンテンツの判定処理を行う。そして、判定処理完了後に、コンテンツサーバにアクセスを行い、判定処理に基づいた適切なコンテンツを取得して、その取得したコンテンツを再生する。したがって、ユーザが、コンテンツの表示を希望する場合に、最適な判定処理を行うことにより、ユーザに対して、違和感を与えることなく、適切なコンテンツを提供できる。
【発明の効果】
【００２９】
本発明によれば、最適な判定処理を行うことにより、ユーザに対して、違和感を与えることなく、適切なコンテンツを提供することができるという効果がある。
【図面の簡単な説明】
【００３０】
【図１】本実施形態に係る情報配信システムの構成を示す図である。
【図２】ユーザの通信エリアにおける状態管理の様子を示した図である。
【図３】第１の実施形態に係るアクティブタグの構成を示す図である。
【図４】第１の実施形態に係るユーザ端末の構成を示す図である。
【図５】第１の実施形態に係るコンテンツサーバの構成を示す図である。
【図６】第１の実施形態に係る情報配信システムの処理フローである。
【図７】第１の実施形態に係る表示判定に関する処理フローである。
【図８】第１の実施形態に係る画面更新例を示す図である。
【図９】第２の実施形態に係るユーザ端末の構成を示す図である。
【図１０】第２の実施形態に係る情報配信システムの処理フローである。
【図１１】第２の実施形態に係る表示判定に関する処理フローである。
【発明を実施するための形態】
【００３１】
以下、本発明の実施形態について、図面を用いて、詳細に説明する。
なお、本実施形態における構成要素は適宜、既存の構成要素等との置き換えが可能であり、また、他の既存の構成要素との組合せを含む様々なバリエーションが可能である。したがって、本実施形態の記載をもって、特許請求の範囲に記載された発明の内容を限定するものではない。
【００３２】
＜情報配信システムの構成＞
図１を用いて、本実施形態に係る情報配信システムの構成について説明する。
本実施形態に係る情報配信システムは、図１に示すように、無線タグ（アクティブタグ、パッシブタグを含む）１００と、ユーザ端末２００と、コンテンツサーバ３００とから構成されている。また、無線タグ（アクティブタグ、パッシブタグを含む）１００とユーザ端末２００とは、タグ通信エリアで通信が可能となり、ユーザ端末２００とコンテンツサーバ３００とは、ネットワークを介して接続されている。
【００３３】
無線タグ１００がアクティブタグの場合、常時、タグ通信エリア内で電波を発信している。一方、無線タグ１００がパッシブタグの場合には、ユーザ端末２００からの検索要求を受信して、通信可能であることの通知やタグＩＤの送信を行う。
【００３４】
ユーザ端末２００は、無線タグ１００を検出すると、タグＩＤをコンテンツサーバ３００に送信して、コンテンツを要求し、取得したコンテンツを再生表示する。また、本実施形態では、ユーザに対して、違和感を与えないように判定要素を用いて、表示するコンテンツの判定処理を行う。なお、本実施形態では、ユーザ端末２００として、携帯電話を例示したが、上記の機能を有すれば、ユーザが所持する他の機器を用いてもよい。
【００３５】
コンテンツサーバ３００は、ユーザ端末２００からのコンテンツの要求に対して、受信したタグＩＤに対応するコンテンツを検索して、その検索したコンテンツをユーザ端末２００に送信する。
【００３６】
＜ユーザの通信エリアにおける状態管理＞
図２は、ユーザの通信エリアにおける状態管理の様子を示している。
まず、無線タグ１００を検出できない状態が続いている場合、ユーザ端末２００は、「エリア外」であると判定する。この状態から、無線タグ１００を検出できた場合、「進入」と判定する。なお、厳密には、無線タグ１００を検出でき、その検出回数が連続してＮ回未満の場合までを「進入」と判定する。一方で、無線タグ１００を検出できなくなった場合には、「エリア外」と判定する。
【００３７】
次に、無線タグ１００を検出でき、その検出回数が連続してＮ回以上の場合、エリアに入ったという「ＩＮ」の状態と判定する。そして、無線タグ１００を検出でき、その検出回数が連続してＬ回未満の場合、「エリア内」と判定する。「エリア内」と判定し、かつ、無線タグ１００を検出でき、その検出回数が連続してＬ回以上の場合、エリアに居続けて、一定時間が経過した状態「ＳＴＡＹ」と判定する。なお、「ＳＴＡＹ」時には、検出の連続回数を１回リセットする。
【００３８】
次に、「エリア内」の状態から無線タグ１００を検出できなくなった場合には、「退出」と判定する。厳密には、無線タグ１００を検出できず、非検出の状態が連続してＭ回未満の場合を「退出」と判定する。一方、「退出」の状態から無線タグ１００を検出できた場合には、「エリア内」と判定する。
【００３９】
無線タグ１００を検出できず、その非検出回数が連続してＭ回以上の場合、エリアから出たという「ＯＵＴ」の状態と判定する。なお、検出、非検出は、直近の検索結果を示し、１回検出処理を実行すると、同一の状態に留まるまで状態遷移を行う。また、上記に示したＮ、Ｍ、Ｌは１以上の整数である。
【００４０】
＜第１の実施形態＞
図３から図８を用いて、本発明の第１の実施形態について説明する。なお、本実施形態は、自動的に、表示コンテンツの判定処理を行うものであり、無線タグ１００はアクティブタグであることを前提とする。
【００４１】
＜アクティブタグの構成＞
図３を用いて、本実施形態に係るアクティブタグの構成について説明する。
図３に示すように、本実施形態に係るアクティブタグは、検索通知送信部１０１と、ＩＤ送信部１０２と、ＩＤ格納部１０３とから構成されている。
【００４２】
検索通知送信部１０１は、タグ通信エリア内において、検索通知に関する無線波を送信する。ＩＤ送信部１０２は、ＩＤ格納部１０３から自らのＩＤを取り出して、ＩＤ情報を送信する。ＩＤ格納部１０３は、ＩＤを記憶する記憶装置である。
【００４３】
＜ユーザ端末の構成＞
図４を用いて、本実施形態に係るユーザ端末の構成について説明する。
図４に示すように、本実施形態に係るユーザ端末は、タグ情報受信部２１０と、判定処理部２２０と、アクセス部２３０と、コンテンツ取得部２４０と、コンテンツ再生部２５０とから構成されている。また、判定処理部２２０は、状態判定部２２１と、表示中コンテンツＩＤ格納部２２２と、コンテンツ視聴状態検出部２２３とから構成されている。
【００４４】
タグ情報受信部２１０は、アクティブタグから送信されてくる通知情報やタグＩＤを受信する。判定処理部２２０は、表示するコンテンツの判定処理を行う。
【００４５】
具体的には、状態判定部２２１は、図２に示す状態遷移により、ＩＤの状態をエリアに入ったというその瞬間の状態を示す「ＩＮ」、エリアに居続けて、一定時間経過した状態の「ＳＴＡＹ」、エリアから出たというその瞬間の状態を示す「ＯＵＴ」、エリアに居続けることを示す「ｓｔａｙｉｎｇ」、エリアから出続けている状態を示す「ｌｅａｖｅ」のいずれかの状態に決定する。なお、「ＩＮ」、「ＳＴＡＹ」、「ＯＵＴ」、「ｓｔａｙｉｎｇ」、「ｌｅａｖｅ」の５つの状態のうち、コンテンツを表示するタイミングについては、システムの利用用途に応じて、自由な組み合わせが可能である。したがって、「ＯＵＴ」のときのみコンテンツを表示することもできる。
【００４６】
表示中コンテンツＩＤ格納部２２２は、現在表示されているコンテンツのＩＤを格納する。判定処理部２２０は、現在表示されているコンテンツのＩＤを確認し、同一のコンテンツが連続して表示されないよう制御する。
【００４７】
コンテンツ視聴状態検出部２２３は、ユーザがコンテンツの詳細を参照しているか否かを検出する。そして、判定処理部２２０は、ユーザがコンテンツの詳細を参照している場合には、コンテンツの切り替えを一時禁止する。
【００４８】
アクセス部２３０は、判定処理完了後に、コンテンツサーバ３００にアクセスを行う。コンテンツ取得部２４０は、判定処理に基づいた適切なコンテンツを取得する。コンテンツ再生部２５０は、取得したコンテンツを再生する。
【００４９】
＜コンテンツサーバの構成＞
図５を用いて、本実施形態に係るコンテンツサーバの構成について説明する。
図５に示すように、本実施形態に係るコンテンツサーバは、受信部３０１と、ＩＤ−コンテンツ管理部３０２と、コンテンツデータベース（ＤＢ）３０３と、コンテンツ生成部３０４と、送信部３０５とから構成されている。
【００５０】
受信部３０１は、ユーザ端末２００からコンテンツ取得のためのリクエストと無線タグ１００のＩＤ情報を受信する。ＩＤ−コンテンツ管理部３０２は、無線タグ１００のＩＤ情報とコンテンツを対応付けて管理する。
【００５１】
コンテンツデータベース（ＤＢ）３０３は、多くのコンテンツを格納する記憶装置である。コンテンツ生成部３０４は、ＩＤ−コンテンツ管理部３０２がコンテンツデータベース（ＤＢ）３０３から取得した無線タグ１００のＩＤ情報と対応付けたコンテンツに基づいて、ユーザ端末２００に送信するコンテンツを生成する。送信部３０５は、コンテンツ生成部３０４が生成したコンテンツをユーザ端末２００に送信する。
【００５２】
＜情報配信システムの処理＞
図６を用いて、本実施形態に係る情報配信システムの処理について説明する。
まず、ユーザ端末２００が、アクティブタグ１００の通信エリア内に入ったときに、アクティブタグ１００からアクティブタグ１００のＩＤとともに通知を受ける（ステップＳ１０１）。
【００５３】
次に、アクティブタグ１００から通知とともに、アクティブタグ１００のＩＤを受信したときに、少なくともアクティブタグ１００の状態により表示するコンテンツの判定処理を行う（ステップＳ１０２）。そして、記判定処理完了後に、コンテンツサーバ３００にアクセスを行い、判定処理に基づいた適切なコンテンツを取得し（ステップＳ１０３）、その取得したコンテンツを再生する（ステップＳ１０４）。
【００５４】
＜表示判定に関する処理＞
図７を用いて、表示判定に関する処理について説明する。
まず、アクティブタグ１００のＩＤ状態管理を行う（ステップＳ１０２１）。次に、画面の更新フラグを検出し（ステップＳ１０２２）、画面の更新が可能である場合には、表示対象のコンテンツ数を確認する（ステップＳ１０２３）。
【００５５】
そして、表示対象のコンテンツが１つの場合には、現在表示のコンテンツのＩＤとの比較を行い（ステップＳ１０２４）、同じであれば、画面更新を行わず、次回のタグ検索まで待機する（ステップＳ１０２６）。一方。異なる場合には、画面を更新して新たなコンテンツを表示して（ステップＳ１０２５）、次回のタグ検索まで待機する（ステップＳ１０２６）。また、ステップＳ１０２３において、表示対象のコンテンツがない場合には、次回のタグ検索まで待機する（ステップＳ１０２６）。
【００５６】
ステップＳ１０２３において、表示対象のコンテンツが２つ以上ある場合には、現在コンテンツが表示されているか否かを確認し（ステップＳ１０２７）、コンテンツの表示中である場合には、コンテンツの切り替えを行わず、次回のタグ検索まで待機する（ステップＳ１０２６）。
【００５７】
一方で、現在コンテンツが表示されていない場合には、画面を更新し、新たなコンテンツを表示して（ステップＳ１０２８）、次回のタグ検索まで待機する（ステップＳ１０２６）。なお、上記の処理フローでは、表示判定に３つの機能すべてを用いる例について説明したが、上記３つの機能のうち、状態判定機能がその中核をなす機能であり、他の２つは、ユーザビリティ向上のために必要な機能である。したがって、状態判定機能以外の機能については、別の手法を用いてもよい。
【００５８】
＜画面更新例について＞
図８を用いて、画面更新例について説明する。
図８では、２つのタグＡ、Ｂがある場合を示しており、上から、時間経過、タグＡの状態、タグＡの検出状況、タグＢの検出状況、タグＢの状態、コンテンツの表示状態が示されている。
【００５９】
まず、最初は、タグＡのみが検出され、タグＢは検出できていないため、タグＡに対応するコンテンツが表示される（１）。続いて、タグＡが３回連続して検出されている。このケースは、同一のＩＤが連続して検出される場合に相当するため、画面の更新は行われない（２）。
【００６０】
次のタイミングでは、タグＡおよびタグＢが検出されるが、このケースは、複数のタグが同時に検出される場合に相当するため、画面の更新は行われない（３）。次のタイミングでは、タグＡが「ＯＵＴ」の状態となり、タグＢのみが検出されるため、タグＢに対応するコンテンツが表示される（４）。続いて、タグＢが３回連続して検出されている。このケースは、同一のＩＤが連続して検出される場合に相当するため、画面の更新は行われない（５）。
【００６１】
次のタイミングでは、タグＢが「ＯＵＴ」、「ｌｅａｖｅ」の状態になるが、他に検出されるタグがないため、画面の更新は行われない（６）。次のタイミングでは、タグの検索開始状態であるため、コンテンツは表示されない（７）。さらに、次のタイミングでは、タグＡとタグＢの両方を検出したため、先に、検出したタグに対応したコンテンツを表示する（８）。
【００６２】
以上、説明したように、本実施形態によれば、自動的に、最適な判定処理を行うことにより、ユーザに対して、違和感を与えることなく、適切なコンテンツを提供できる。
【００６３】
＜第２の実施形態＞
図９から図１１を用いて、本発明の第２の実施形態について説明する。なお、本実施形態は、ユーザの指示に応じて、タグの検索やコンテンツの表示判定処理を行うものであり、無線タグ１００はアクティブタグであることを前提とする。また、アクティブタグおよびコンテンツサーバ３００の構成については、第１の実施形態と同一であるため、詳細な説明は、省略する。
【００６４】
＜ユーザ端末の構成＞
図９を用いて、本実施形態に係るユーザ端末の構成について説明する。
本実施形態に係るユーザ端末は、第１の実施形態におけるユーザ端末に通知部２１１とアクセス要求部２１２をさらに備えた点において、相違する。
【００６５】
通知部２１１は、タグ情報受信部２１０が通知情報とタグＩＤを受信したときに、その旨をユーザに知らせる報知手段である。また、アクセス要求部２１２は、ユーザがコンテンツの表示を希望する場合に、コンテンツサーバ３００へのアクセスを促すための手段である。
【００６６】
＜情報配信システムの処理＞
図１０を用いて、本実施形態に係る情報配信システムの処理について説明する。
まず、ユーザ端末２００が、アクティブタグ１００の通信エリア内に入ったときに、アクティブタグ１００からアクティブタグ１００のＩＤとともに通知を受ける（ステップＳ２０１）。
【００６７】
次に、アクティブタグ１００からの通知を受けたときに、ユーザにその旨を報知し（ステップＳ２０２）、ユーザがコンテンツの取得要求を行う（ステップＳ２０３）。また、アクティブタグ１００から通知とともに、アクティブタグ１００のＩＤを受信したときに、少なくともアクティブタグ１００の状態により表示するコンテンツの判定処理を行う（ステップＳ２０４）。
【００６８】
そして、記判定処理完了後に、コンテンツサーバ３００にアクセスを行い、判定処理に基づいた適切なコンテンツを取得し（ステップＳ２０５）、その取得したコンテンツを再生する（ステップＳ２０６）。
【００６９】
＜表示判定に関する処理＞
図１１を用いて、表示判定に関する処理について説明する。
まず、アクティブタグ１００のＩＤ状態管理を行う（ステップＳ２０４１）。次に、ユーザによる画面表示の操作指示があるか否かを確認し（ステップＳ２０４２）、指示がある場合には、表示対象のコンテンツ数を確認する（ステップＳ２０４３）。
【００７０】
そして、表示対象のコンテンツがない場合には、画面を更新して、その旨をメッセージ表示し（ステップＳ２０４４）、次回のタグ検索まで待機する（ステップＳ２０４５）。また、表示対象のコンテンツが１つの場合には、画面を更新してコンテンツを表示し（ステップＳ２０４６）、次回のタグ検索まで待機する（ステップＳ２０４５）。
【００７１】
ステップＳ２０４３において、表示対象のコンテンツが２つ以上ある場合には、現在表示されているコンテンツのＩＤと表示対象のコンテンツのＩＤとを比較し（ステップＳ２０４７）、異なる場合には、画面を更新して、新たなコンテンツを表示する（ステップＳ２０４８）。一方、ＩＤが同一である場合には、画面の更新を行わず、次回のタグ検索まで待機する。
【００７２】
なお、上記の処理フローでは、表示判定に３つの機能すべてを用いる例について説明したが、上記３つの機能のうち、状態判定機能がその中核をなす機能であり、他の２つは、ユーザビリティ向上のために必要な機能である。したがって、状態判定機能以外の機能については、別の手法を用いてもよい。
【００７３】
＜画面更新例について＞
図８を用いて、画面更新例について説明する。
本実施形態に係る画面更新例が図８下部に示されている。これによれば、ユーザがコンテンツを参照するために、リンクを押下した場合には、そのコンテンツが表示され（９）、ユーザのリンク押下後、一定時間が経過すると、画面が更新される（１０）。
【００７４】
以上、説明したように、本実施形態によれば、ユーザが、コンテンツの表示を希望する場合に、最適な判定処理を行うことにより、ユーザに対して、違和感を与えることなく、適切なコンテンツを提供できる。
【００７５】
なお、情報配信システムの処理をコンピュータ読み取り可能な記録媒体に記録し、この記録媒体に記録されたプログラムをタグ、ユーザ端末、コンテンツサーバに読み込ませ、実行することによって本発明の情報配信システムを実現することができる。ここでいうコンピュータシステムとは、ＯＳや周辺装置等のハードウェアを含む。
【００７６】
また、「コンピュータシステム」は、ＷＷＷ（Ｗｏｒｌｄ  Ｗｉｄｅ  Ｗｅｂ）システムを利用している場合であれば、ホームページ提供環境（あるいは表示環境）も含むものとする。また、上記プログラムは、このプログラムを記憶装置等に格納したコンピュータシステムから、伝送媒体を介して、あるいは、伝送媒体中の伝送波により他のコンピュータシステムに伝送されても良い。ここで、プログラムを伝送する「伝送媒体」は、インターネット等のネットワーク（通信網）や電話回線等の通信回線（通信線）のように情報を伝送する機能を有する媒体のことをいう。
【００７７】
また、上記プログラムは、前述した機能の一部を実現するためのものであっても良い。さらに、前述した機能をコンピュータシステムにすでに記録されているプログラムとの組合せで実現できるもの、いわゆる差分ファイル（差分プログラム）であっても良い。
【００７８】
以上、この発明の実施形態につき、図面を参照して詳述してきたが、具体的な構成はこの実施形態に限られるものではなく、この発明の要旨を逸脱しない範囲の設計等も含まれる。例えば、第２の実施形態では、アクティブタグを例示して説明したが、第２の実施形態のように、ユーザの操作により、コンテンツ表示を行うシステムにおいては、パッシブタブを用いてもよい。
【符号の説明】
【００７９】
１００；無線タグ
１０１；検索通知送信部
１０２；ＩＤ送信部
１０３；ＩＤ格納部
２００；ユーザ端末
２１０；タグ情報受信部
２１１；通知部
２１２；アクセス要求部
２２０；判定処理部
２２１；状態判定部
２２２；表示中コンテンツＩＤ格納部
２２３；コンテンツ視聴状態検出部
２３０；アクセス部
２４０；コンテンツ取得部
２５０；コンテンツ再生部
３００；コンテンツサーバ
３０１；受信部
３０２；ＩＤ−コンテンツ管理部
３０３；コンテンツＤＢ
３０４；コンテンツ生成部
３０５；送信部
【図１】
2011135129.tif 000003
【図２】
2011135129.tif 000004
【図３】
2011135129.tif 000005
【図４】
2011135129.tif 000006
【図５】
2011135129.tif 000007
【図６】
2011135129.tif 000008
【図７】
2011135129.tif 000009
【図８】
2011135129.tif 000010
【図９】
2011135129.tif 000011
【図１０】
2011135129.tif 000012
【図１１】
2011135129.tif 000013